(57)【要約】【課題】布地を簡単に頭部へ装着できるとともに、強い日ざしから顔の両側面を覆うことが可能なキャップを提供する。【解決手段】長方形（多角形）状の布地１と、この布地１のほぼ中央部のほぼ半円軌道上に穿設された複数の貫通孔２と、この複数の貫通孔２に連通された紐３とを備える。【選択図】        図１
2004332181.tif 000002
【特許請求の範囲】
【請求項１】
多角形状の布地と、この布地のほぼ中央部のほぼ半円軌道上に穿設された複数の貫通孔と、この複数の貫通孔に連通された紐とを備えたことを特徴とするキャップ。
【請求項２】
上記布地の長手方向の両端近傍の垂れ部と、この垂れ部の端近傍に設けられた一対の結合部材と、上記布地の一端部のほぼ中央部に設けられた一対の結合部材を備えたことを特徴とする請求項１記載のキャップ。
【発明の詳細な説明】
【０００１】
【発明の属する技術分野】
本発明は、頭部に被るキャップに関するものである。
【０００２】
【従来の技術】
従来の頭部へ被るキャップとしては、作業、アウトドアレジャー、スポーツなどで頭髪の乱れ防止や頭部の吸汗、太陽光の遮光を目的として、パイル織布を複雑に縫い合わせ、頭に被れるようにした垂れ付き頭巾がある。（例えば、特許文献１参照）。
【０００３】
【特許文献１】実用新案登録第３０７６１２０号公報（第２−４頁、図３）
【０００４】
【発明が解決しようとする課題】
上記のような従来のキャップでは、タオルを頭に被り後部で縛り付ける場合、タオルの長さや厚みが原因で解けやすいと言う問題点があった。また、それを解決するために開発された既製の頭巾では、問題の装着機能は解決されるが顔の露出部が多いため強い日ざしを顔全面に受けてしまい、体力の消耗を促進してしまうと言う問題点があった。また頭の形に密着する頭巾は複雑な縫製技術が必要とされるため、製造コストが高くなると言う問題点もあった。
【０００５】
本発明は上述のような問題点を解決するためになされたもので、布地を簡単に頭部へ装着できるとともに、強い日ざしから顔の両側面を覆うことが可能なキャップを提供することを目的とする。
【０００６】
【課題を解決するための手段】
この発明に係るキャップは、多角形状の布地と、この布地のほぼ半円軌道上にほぼ中央部の穿設された複数の貫通孔と、この複数の貫通孔に連通された紐とを備え、布地を頭部部の形状に合わせて被り、紐を絞り込むことにより、布地が頭部に合うように形成されたものである。
【０００７】
また、布地の長手方向の両端近傍の垂れ部と、この垂れ部の端近傍に設けられた一対の結合部材と、上記布地の一端部のほぼ中央部に設けられた一対の被結合部材を備えたものである。
【０００８】
【発明の実施の形態】
実施の形態１．
図１は、この発明の一実施の形態を示すキャップの平面図である。
図において、１は織地またはメリヤス等で長方形状に形成された布地である。２は布地１に穿設された複数の貫通孔であり、長方形状の布地１のほぼ中央部に、ほぼ半円軌道上に所定の間隔で穿設されている。また、この貫通孔２はミシン孔、金属孔、樹脂孔等である。３はゴム、綿、合成繊維、その他の素材で形成された紐であり、複数の貫通孔２に連通されている。４はストッパーであり、紐３の先端部から貫通させ、紐３の先端部をエンド部材５で固着する。布地１にあけた貫通孔２に紐３を通して、引っ張り、絞る際にこのストッパー４で緩みを防止する。
【０００９】
６は布地１の両下端部に設けられた結合部材としてのボタンである。紐３は布地１の貫通孔２に通して頭のサイズに布地１の円周を合わせるための調節紐である。また、紐３は伸縮機能が有るもの、無いもの、どちらをも使用する事ができる。７はボタン６をはめ込むための被結合部材としての各種のボタン孔であり、ボタン６とボタン孔７を結合すれば頭の背面部に垂れた布部が顔の両側面を覆い、直射日光から顔両側面を保護することができる。なお、この発明の実施の形態１ではボタン６とボタン孔７とを結合する様にしたが、ホックまたはマジックテープなどの結合部材と被結合部材を用いて結合するようにしても良い。また、布地１は、長方形状でなくても、四辺を変形させた長方形状、６角形状、または８角形状等の多角形状でもよい。
【００１０】
次に、上記の様に構成されたキャップの使用方法を、図２〜５に基づき説明する。
先ず図２〜４においては、日よけ垂れ部１ａ（図１に示す）を背面部に垂らした装着方法である。
図２に示すキャップは、布地１の前頭部１ｂから後頭部１ｃ（図１に示す）までを覆い被らせた側面図である。先ず、図２に示すように布地１の貫通孔２に通した紐３を引っ張り、布地１をほぼ頭部の形に整える。次に、図３に示すように頭部に被る頭の円周サイズは個人差があるため、ストッパー４に通した紐３を引っ張り絞り込むことにより頭の円周サイズを容易に調節できる。
【００１１】
ボタン孔７はボタン６と連結さす事を目的とするが、日よけが不要な場合は図２〜図４に示すように頭の背面部に垂らす装着方法もある。この場合、顔の露出部が広いため直射日光を顔全体で受けることになるが、背面部には日よけ垂れが集まっているため、首後部、背面部は直射日光の高熱を緩和することができる。
【００１２】
図３、図４はこの発明のキャップを頭に装着した状態を示す正面図と背面図である。
図５は、背面部に集中していた日よけ垂れを、顔の両側面に持ち上げ、顔の露出部を少なくした装着方法である。図において、ボタン６をボタン孔７に嵌め込み固着する。このようにすることにより顔両側面から首にかけて広く覆うことができ、気温上昇時の体力温存に効果を発揮する。
【００１３】
【発明の効果】
この発明は、以上説明したように構成されているので、以下に示すような効果を奏する。
【００１４】
長方形（多角形）状の布と、この布地のほぼ中央部のほぼ半円軌道上に穿設された複数の貫通孔と、この複数の貫通孔に連通された紐とを備え、布地を頭部の形状に被り紐を絞り込むことにより、布地が頭部に合うように形成されているので、布地を簡単に頭部へ装着できるとともに、頭部から外れに難い。また、複雑な縫製技術が不要であるため、製造コストが安くなる。
【００１５】
また、布地の長手方向の両端近傍の垂れ部と、この垂れ部の端近傍に設けられた一対の結合部材と、布地の一端部のほぼ中央部に設けられた一対の結合部材を設けているので、垂れ部で顔を覆うことができ、強い日ざしを防ぎ体力の消耗を防止できる。
【００１６】
また、半円軌道上に一定の間隔で規則正しく穴をあけているため、紐を通して布地を引っ張り絞り込んだ際に発生するシワにも規則性があり、外観的な美しさが付加されている。
顔全面の露出による直射日光の弊害を布地の「垂れ」で顔の両側面を覆うことができるため、汗拭き機能と日よけ機能を同時に備えることができる。
【図面の簡単な説明】
【図１】この発明の一実施の形態を示すキャップの平面図である。
【図２】この発明のキャップを立体的に組み立てた状態を示す側面図である。
【図３】この発明のキャップを頭部に装着した状態を示す正面図である。
【図４】この発明のキャップを頭部に装着した状態を示す背面図である。
【図５】この発明のキャップを頭部に装着し、顔側面に布地の垂れ部を覆った状態を示す側面図である。
【符号の説明】
１  布地、１ａ  垂れ部、２  貫通孔、３  紐、４  ストッパー、６  結合部材、７  被結合部材
【図１】
2004332181.tif 000003
【図２】
2004332181.tif 000004
【図３】
2004332181.tif 000005
【図４】
2004332181.tif 000006
【図５】
2004332181.tif 000007